(57)【要約】      （修正有）【課題】簡単な構成を用いてスライド操作時に繰り返しクリック感や操作荷重感を得られるようにしたタッチパネルを提供する。【解決手段】操作パネル１は、表示部２、操作スイッチ３、スライド操作部４などが設けられる。スライド操作部４には、スライド操作方向に沿って、５個のコーティング部８が形成される。コーティング部８は、意匠パネルの表面をフッ素コーティングにより低摩擦係数の状態に形成されている。５個のコーティング部８の配置間隔は、左側が狭く右に行くほど広くなるように配置された断続パターンとして設けられる。指を接触した状態でスライド操作方向に沿って移動させると、摩擦係数の違いによりクリック感が得られ、移動量に応じて抵抗が増大する。【選択図】図１
2020095324.tif 000002
【特許請求の範囲】
【請求項１】
意匠パネル（１０）の表面に設けられるスライド操作部（４、２０、３０、４０、５０、６０、７０、８０、９０、１００、１１０）と、
前記スライド操作部のスライド操作方向に沿った操作に応じてスライド量を検出するスライド検出部（１５）とを備え、
前記スライド操作部は、前記操作パネルの表面の摩擦係数と異なる摩擦係数を有する領域が、前記スライド操作方向に沿って断続的に形成され且つ断続間隔が徐々に変化する断続パターン（８、２１、３１、４１、５１、６１、７１、８１、９１、１０１、１１１）として形成されているタッチパネル。
【請求項２】
前記断続パターン（８、２１、３１、５１、６１、７１、８１、９１、１０１、１１１）は、前記操作パネルの表面の摩擦係数よりも低い摩擦係数を有する領域で形成されている請求項１に記載のタッチパネル。
【請求項３】
前記断続パターン（４１）は、前記操作パネルの表面の摩擦係数よりも高い摩擦係数を有する領域で形成されている請求項１に記載のタッチパネル。
【請求項４】
前記断続パターン（８、２１、３１、５１、６１、７１、１０１、１１１）は、前記操作パネルの表面に施された所定の摩擦係数を有するコーティング面の領域により形成されている請求項１から３のいずれか一項に記載のタッチパネル。
【請求項５】
前記断続パターン（８１）は、前記操作パネルの表面に設けた所定の摩擦係数の表面状態を有する領域により形成されている請求項１から３のいずれか一項に記載のタッチパネル。
【請求項６】
前記断続パターン（９１）は、前記操作パネルの表面に所定の摩擦係数の素材を埋め込み配置した領域により形成されている請求項１から３のいずれか一項に記載のタッチパネル。
【請求項７】
前記スライド操作部は、前記断続パターンのスライド操作方向を示す基点となる位置に前記操作パネルの表面を触覚により認識可能な触覚指標（９ａ、９ｂ）が設けられる請求項１から６のいずれか一項に記載のタッチパネル。
【請求項８】
前記スライド操作部（４、２０、３０、４０、５０、８０、９０、１１０）のスライド操作方向は、直線状に設定される請求項１から７のいずれか一項に記載のタッチパネル。
【請求項９】
前記スライド操作部（１００）のスライド操作方向は、曲線状に設定される請求項１から７のいずれか一項に記載のタッチパネル。
【請求項１０】
前記スライド操作部（６０、７０）のスライド操作方向は、基点位置から複数の放射状方向に設定される請求項１から７のいずれか一項に記載のタッチパネル。
【発明の詳細な説明】
【技術分野】
【０００１】
本発明は、タッチパネルに関する。
【背景技術】
【０００２】
スライド操作を入力する装置として、突起や凹みを横や縦や斜めや円状にスライドさせることにより操作されたことを検知するメカスイッチがある。これに対して、このような操作を撫でるだけで行えるようにしたタッチパネルがある。
【０００３】
このようなタッチパネルでは、突起や凹みを移動させる必要がないので、ごく軽い力で撫でて操作出来る利点や、複雑な可動機構を省けるという利点、突起や凹みと周辺の隙（見切り）を無くしスッキリとしたデザインに出来る利点などがある。
【０００４】
タッチパネルにおいては、タッチ操作の操作性を向上させる技術として、隣接する入力エリア相互において表面の摩擦係数を異ならせ指の触感の違いで入力エリアの境界を識別させる技術がある。タッチ操作の操作性を向上させる技術としては、他に振動で指を滑らせスイッチに誘導するようにした技術もある。
【０００５】
しかしながら、表面の摩擦係数差で境界を識別させる技術では、ボリューム調整などを想定したスライド操作時の細かい繰り返しクリック触感や操作荷重感を再現することは難しかった。また振動で誘導する技術においても、ボリューム調整などを想定したスライド操作時に、ある程度の繰り返しクリック触感や操作荷重感は再現できるが、アクチュエーターなどの部品が必要となり、構造的あるいは制御方法的にも複雑になりコストアップが避けられないものであった。
【先行技術文献】
【特許文献】
【０００６】
【特許文献１】特開２００５−５６１８０号公報
【特許文献２】特開２００４−６３１４９号公報
【発明の概要】
【発明が解決しようとする課題】
【０００７】
本発明は、上記事情を考慮してなされたもので、その目的は、簡単な構成を用いてスライド操作時に繰り返しクリック感や操作荷重感を得られるようにしたタッチパネルを提供することにある。
【課題を解決するための手段】
【０００８】
請求項１に記載のタッチパネルは、意匠パネル（１０）の表面に設けられるスライド操作部（４、２０、３０、４０、５０、６０、７０、８０、９０、１００、１１０）と、前記スライド操作部のスライド操作方向に沿った操作に応じてスライド量を検出するスライド検出部（１５）とを備え、前記スライド操作部は、前記操作パネルの表面の摩擦係数と異なる摩擦係数を有する領域が、前記スライド操作方向に沿って断続的に形成され且つ断続間隔が徐々に変化する断続パターン（８、２１、３１、４１、５１、６１、７１、８１、９１、１０１、１１１）として形成されている。
【０００９】
上記構成を採用することにより、スライド操作部を操作する場合に、スライド操作方向に沿って使用者が指先をタッチしながらスライド操作すると、断続パターンの断続的に配置された領域を通過するときに、摩擦係数が異なることでクリック感を得ることができ、これによって繰り返しクリック感や操作荷重感を持った状態で操作することができる。
【図面の簡単な説明】
【００１０】
【図１】第１実施形態を示すエアコンの操作パネルの平面図
【図２】スライド操作部の模式的な断面図
【図３】スライド操作部の断続パターンの配置図
【図４】第２実施形態を示すスライド操作部の断続パターンの配置図
【図５】第３実施形態を示すスライド操作部の断続パターンの配置図
【図６】第４実施形態を示すスライド操作部の断続パターンの配置図
【図７】第５実施形態を示すスライド操作部の断続パターンの配置図
【図８】第６実施形態を示すスライド操作部の断続パターンの配置図
【図９】第７実施形態を示すスライド操作部の断続パターンの配置図
【図１０】第８実施形態を示すスライド操作部の模式的な断面図
【図１１】第９実施形態を示すスライド操作部の模式的な断面図
【図１２】第１０実施形態を示す操作部のスライド操作部の配置図
【図１３】第１１実施形態を示す操作部のスライド操作部の配置図
【発明を実施するための形態】
【００１１】
（第１実施形態）
以下、本発明の第１実施形態について、図１〜図３を参照して説明する。
図１は車両のインパネに搭載されるエアコン等の操作パネル１を示している。操作パネル１の中央上部には表示部２を中心にその左右両側にエアコンの動作モードの設定を行うための各種の操作スイッチ３が配置されている。また、表示部２の下側にはエアコンの風量設定用のスライド操作部４、オンオフスイッチ５、ファン停止スイッチ６、オート運転スイッチ７などが配置されている。
【００１２】
スライド操作部４は、表面にファンによる風量を示す指標４ａおよび風量の増加「＋」および減少「−」の方向を示す指標４ｂが印字されている。また、スライド操作をする部分には、表面を他の部分よりも低摩擦状態にするフッ素コーティングを施した矩形状のコーティング部８を設けている。コーティング部８は、スライド操作方向に沿って例えば５個配置した断続パターンとして形成されている。
【００１３】
スライド操作をする部分の左右の所定位置には操作時に端部であることを使用者が触覚可能な触覚指標９ａ、９ｂが配置されている。触覚指標９ａ、９ｂは、具体的には表面を凸状に形成したものとして設けている。なお、低摩擦コーティングとしてのフッ素コーティングについては、特開２０００−１４４０９７号公報などに技術が開示された公知の技術である。
【００１４】
次に、図２により断面構成について簡単に説明する。操作パネル１を構成する意匠パネル１０の表面（上面）１０ａには、左右に凸状の触覚指標９ａ、９ｂが設けられ、それらの間に５個のコーティング部８が配置されている。意匠パネル１０の表面１０ａの摩擦係数に対してコーティング部８の摩擦係数は小さく設けられる。これにより、スライド操作方向（図２中左右方向）Ｄに、指Ｆを接触状態で移動させた場合に、コーティング部８の部分が滑りやすく、意匠パネル１０の表面１０ａ部分は滑り難い状態となっている。
【００１５】
この場合、コーティング部８の摩擦係数は、意匠パネル１０の表面１０ａの摩擦係数に対して例えば０．３程度の差となるように設定することができる。これによって、両者の境界部を指Ｆが通過するときにクリック感を与えることができる。なお、両者の摩擦係数差は、０．３に限らずコーティング部８の大きさや形状あるいは操作性を考慮して適宜の値に設定することができる。
【００１６】
意匠パネル１０の裏面１０ｂ側には配線パターンが設けられたフィルム状のフレキシブル基板１１が貼り付けられている。フレキシブル基板１１には複数個のタッチ検出用電極１２がスライド操作方向Ｄに沿って所定間隔で配置されている。フレキシブル基板１１の端部はコネクタ１３を介してプリント基板１４に接続され、タッチ検出用電極１２とプリント基板１４に設けられたスライド検出部としての検出回路１５と電気的に接続されている。また、プリント基板１４には、意匠パネル１０を下面側から上面側に透過させて照明をするためのＬＥＤ１６がスライド操作方向Ｄに沿って複数個配置されている。
【００１７】
プリント基板１４の検出回路１５は、使用者の指Ｆが意匠パネル１０の表面１０ａ側にタッチしたときに、複数個のタッチ検出用電極１２のうち、最も近い位置で対向しているタッチ検出用電極１２の静電容量値が、大きく変化することを検出して指Ｆが触れている位置を特定して対応する操作情報を取得しエアコンの制御部などに送信する。
【００１８】
次に、図３を参照してコーティング部８の配置位置について詳細に説明する。５個のコーティング部８を、図中左側からコーティング部８ａ〜８ｅとして区別して示す。各コーティング部８ａ〜８ｅは、高さ寸法Ｈ、幅寸法Ｗの同形の矩形パターンを用いており、左右の配置間隔は隣接するもの同士の中心位置がそれぞれピッチＰ１〜Ｐ４だけ離間するように位置している。
【００１９】
中心位置のピッチＰ１〜Ｐ４は、ここではＰ１が最も短く、Ｐ２からＰ４にかけて順に大きくなるように設定されている（Ｐ１＜Ｐ２＜Ｐ３＜Ｐ４）。各コーティング部８ａ〜８ｅの間には、左から順に離間距離Ｌ１〜Ｌ４の幅で意匠パネル１０の表面１０ａが露出した状態となっている。また、ピッチＰ１〜Ｐ４の設定により、離間距離Ｌ１〜Ｌ４は、それぞれピッチＰ１〜Ｐ４の値から幅寸法Ｗを引いた値となり、したがってＬ１からＬ４にかけて順に大きくなるように設定される（Ｌ１＜Ｌ２＜Ｌ３＜Ｌ４）。
【００２０】
これにより、最も左側に位置するコーティング部８ａからスライド操作方向Ｄに沿って使用者が指Ｆを接触状態で右側に移動させるときに、図２中実線で示すように、摩擦係数が大きい意匠パネル１０の表面１０ａでは指Ｆは抵抗が大きく移動し難い状態である。また、図２中二点鎖線で示すように、摩擦係数が小さいコーティング部８ａ〜８ｅの表面では指Ｆａは抵抗が小さく移動し易い状態である。そして、意匠パネル１０の表面１０ａの面が露出する幅Ｌ１〜Ｌ４が増大していくので、スライド操作方向Ｄに移動するに従って、全体として移動時の抵抗が大きくなって滑り難い状態となっていく。
【００２１】
この結果、使用者は、スライド操作部４を見ないで、スライド操作部４の表面をスライド操作方向Ｄに沿って指Ｆでなぞることで、エアコンの風量の大小関係を滑り易さの程度によって認識しながら調整することができる。この場合、この実施形態では、指Ｆで触覚指標９ａ、９ｂのいずれかの位置を触感により確認して、移動開始位置を認識できる。そして、この後、例えば指Ｆが滑り易い左側の位置の風量が「小」の設定位置から、右側に移動するに従って意匠パネル１０の表面１０ａが露出する幅が大きくなり、指Ｆの滑り難い状態となって風量が「大」の設定を行うことができる。
【００２２】
また、指Ｆをスライド操作方向Ｄに沿ってなぞりながら移動させると、コーディング部８が位置する部分と意匠パネル１０の表面１０ａが露出する部分との境界位置でクリック感を与えることができる。そして、スライド操作と共にクリック感が得られる間隔が変化することで操作方向に沿って風量を「小」あるいは「大」に変更設定するときに操作感を与えることができる。
【００２３】
このような第１実施形態によれば、スライド操作部４に５個の同形のコーティング部８ａ〜８ｅを配置間隔が変化するように配置したので、使用者が指Ｆをスライド操作方向Ｄに沿って接触状態で移動させるときに、クリック感を与えながら滑り易さの変化によって風量の変化設定の操作感も与えることができる。
【００２４】
これにより、運転中で揺れやすい車内でのスライド操作時に予想外の振動で指が滑り過ぎ、意図していた操作量以上に操作してしまうことが懸念されるが、この実施形態により節度感を付与することにより誤操作の防止効果が高められる。
【００２５】
この場合、意匠パネル１０の表面１０ａに、フッ素コーティングによりコーティング部８ａ〜８ｅを設けているので、外観的に凹凸を持たない目立ちにくい状態とすることができる。また、スイッチなどを設けないので、突起部や隙間（見切り）を無くしてスッキリとしたシームレスのデザイン性を損なうことなく操作感の向上も図れる。
【００２６】
また、スライド操作部４のスライド操作をする部分の両サイドに、端部位置を触覚可能な触覚指標９ａ、９ｂを配置したので、操作開始位置を指Ｆの感触により認識でき、視線を都度移動させる必要がない。
【００２７】
（第２実施形態）
図４は第２実施形態を示すもので、以下、第１実施形態と異なる部分について説明する。この実施形態では、スライド操作部４に代えてスライド操作部２０を配置している。スライド操作部２０は、５個のコーティング部８に代えてフッ素コーティングを施した矩形状の５個のコーティング部２１を備えている。
【００２８】
５個のコーティング部２１を、図中左側からコーティング部２１ａ〜２１ｅとして区別して示す。５個のコーティング部２１ａ〜２１ｅは、高さ寸法Ｈが同じで、幅寸法が左からＷ１〜Ｗ５の矩形状パターンを用いている。また、左右の配置間隔は隣接するもの同士の中心位置がそれぞれ等しくピッチＰだけ離間するように位置している。
【００２９】
５個のコーティング部２１ａ〜２１ｅの幅寸法Ｗ１〜Ｗ５は、Ｗ１が最も長く、Ｗ２からＷ５にかけて順に短くなるように設定されている（Ｗ１＞Ｗ２＞Ｗ３＞Ｗ４＞Ｗ５）。５個のコーティング部２１ａ〜２１ｅの間には、左から順にＬ１〜Ｌ４の幅で意匠パネル１０の表面１０ａが露出した配置状態となっている。また、幅寸法Ｗ１〜Ｗ５の設定により、間隔Ｌ１〜Ｌ４は、Ｌ１からＬ４にかけて順に大きくなるように設定される（Ｌ１＜Ｌ２＜Ｌ３＜Ｌ４）。
【００３０】
これにより、最も左側に位置するコーティング部２１ａからスライド操作方向Ｄに沿って使用者が指Ｆを接触状態で右側に移動させるときに、前述と同様に、意匠パネル１０の表面１０ａの面が露出する幅Ｌ１〜Ｌ４が増大していく。意匠パネル１０の表面１０ａは、コーティング部２１ａ〜２１ｅの表面よりも滑り難いので、全体として右に移動するのに従って移動時の抵抗が大きくなって滑り難い状態となる。
したがって、このような第２実施形態によっても、第１実施形態と同様の作用効果を奏するものである。
【００３１】
なお、上記実施形態における５個のコーティング部２１の幅寸法Ｗ１〜Ｗ５を第１実施形態のように異なるピッチＰ１〜Ｐ４で配置する形態の複合的な断続パターンを設けることもできる。
【００３２】
（第３実施形態）
図５は第３実施形態を示すもので、以下、第２実施形態と異なる部分について説明する。この実施形態では、スライド操作部２０に代えてスライド操作部３０を配置している。スライド操作部３０は、５個のコーティング部２１に代えてフッ素コーティングを施した矩形状の５個のコーティング部３１を備えている。
【００３３】
５個のコーティング部３１を、左側からコーティング部３１ａ〜３１ｅとして区別して示す。５個のコーティング部３１ａ〜３１ｅは、高さ寸法および幅寸法が左からＨ１〜Ｈ５およびＷ１〜Ｗ５の矩形状パターンを用いている。また、左右の配置間隔は隣接するもの同士が、中心位置がそれぞれ等しくピッチＰだけ離間するように位置している。
【００３４】
５個のコーティング部３１ａ〜３１ｅの高さ寸法Ｈ１〜Ｈ５は、Ｈ１が最も長く、Ｈ２からＨ５にかけて順に短くなるように設定されている（Ｈ１＞Ｈ２＞Ｈ３＞Ｈ４＞Ｈ５）。また、５個のコーティング部３１ａ〜３１ｅの幅寸法Ｗ１〜Ｗ５は、距離Ｗ１が最も長く、Ｗ２からＷ５にかけて順に短くなるように設定されている（Ｗ１＞Ｗ２＞Ｗ３＞Ｗ４＞Ｗ５）。
【００３５】
これにより、５個のコーティング部３１ａ〜３１ｅの間には、左から順にＬ１〜Ｌ４の幅で意匠パネル１０の表面１０ａが露出した配置状態となっている。また、幅寸法Ｗ１〜Ｗ５の設定により、離間間隔Ｌ１〜Ｌ４は、Ｌ１からＬ４にかけて順に大きくなるように設定される（Ｌ１＜Ｌ２＜Ｌ３＜Ｌ４）。
【００３６】
なお、この実施形態では、５個のコーティング部３１ａ〜３１ｅについて、高さ寸法Ｈも異なるように設定している。これは、指Ｆをスライド操作部３０の表面に接触した状態でスライド操作方向Ｄに移動させるときに、５個のコーティング部３１ａ〜３１ｅの接触面積が徐々に変化することを感知することができる程度の大きさに設定されているからである。
【００３７】
例えば、指Ｆがスライド操作部３０の表面に接触する際の接触面積をＳｆとすると、コーティング部３１ａの位置では、接触面積Ｓｆ１がコーティング部３１ａをほぼ覆う状態となる。これに対して、コーティング部３１ｃの位置では、接触面積Ｓｆ１がコーティング部３１ｃを確実に覆い、周囲が意匠パネル１０の表面１０ａと接する状態となる。さらに、コーティング部３１ｅの位置では、接触面積Ｓｆ１がコーティング部３１ｅを部分的に含むが大部分は意匠パネル１０の表面１０ａに接する状態となる。
【００３８】
これにより、左側に位置するコーティング部３１ａからスライド操作方向Ｄに沿って使用者が指Ｆを接触状態で右側に移動させるときに、意匠パネル１０の表面１０ａの面と指Ｆが接触する面積が増大していく。意匠パネル１０の表面１０ａは、コーティング部３１ａ〜３１ｅの表面よりも滑り難いので、全体として右に移動するのに従って移動時の抵抗が大きくなって滑り難い状態となる。
したがって、このような第３実施形態によっても、第１実施形態と同様の作用効果を奏するものである。
【００３９】
（第４実施形態）
図６は第４実施形態を示すもので、以下、第１実施形態と異なる部分について説明する。この実施形態では、スライド操作部４に代えてスライド操作部４０を配置している。スライド操作部４０は、５個のコーティング部８に代えて、意匠パネル１０の表面１０ａ全体にフッ素コーティングを施した矩形状のコーティング部４１を設け、このコーティング部４１の内部領域にコーティングを施していない５個の矩形状の非コーティング部４２ａ〜４２ｅを設けることで断続パターンとしている。
【００４０】
５個の非コーティング部４２を、左側から非コーティング部４２ａ〜４２ｅとして区別して示す。５個の非コーティング部４２ａ〜４２ｅは、高さ寸法Ｈ、幅寸法Ｗの同形のパターンを用いており、左右の配置間隔は隣接するもの同士の中心位置がそれぞれピッチＰ１〜Ｐ４だけ離間するように位置している。
【００４１】
ピッチＰ１〜Ｐ４は、Ｐ１が最も長く、Ｐ２からＰ４にかけて順に短くなるように設定されている（Ｐ１＞Ｐ２＞Ｐ３＞Ｐ４）。これにより、各非コーティング部４２ａ〜４２ｅの間には、左から順に離間距離Ｌ１〜Ｌ４の幅でコーティング部４１が露出した状態となっている。また、ピッチＰ１〜Ｐ４の設定により、離間距離Ｌ１〜Ｌ４は、Ｌ１からＬ４にかけて順に短くなるように設定される（Ｌ１＞Ｌ２＞Ｌ３＞Ｌ４）。
【００４２】
この第４実施形態でのスライド操作部４０では、第１実施形態でのスライド操作部４の５個のコーティング部８ａ〜８ｅの配置パターンとは、非コーティング部４２ａ〜４２ｅが逆の間隔で配置されている。
【００４３】
これにより、左側に位置する非コーティング部４２ａからスライド操作方向Ｄに沿って使用者が指Ｆを接触状態で右側に移動させるときに、意匠パネル１０の表面１０ａが露出している非コーティング部４２で滑り難く、コーティング部４１で滑り易いので、左側の部分で滑り易く、右側に移動するに連れて滑り難い状態となる。
したがって、このような第４実施形態によっても、第１実施形態と同様の作用効果を奏するものである。
【００４４】
（第５実施形態）
図７は第５実施形態を示すものであり、以下、第１実施形態と異なる部分について説明する。この実施形態では、スライド操作部４に代えてスライド操作部５０を配置している。スライド操作部５０は、５個のコーティング部８に代えてフッ素コーティングを施した楕円形状の５個のコーティング部５１を備えている。
【００４５】
５個のコーティング部５１を、左側からコーティング部５１ａ〜５１ｅとして区別して示す。５個のコーティング部５１ａ〜５１ｅは、長径寸法がＲａで短径寸法がＲｂの同形の楕円形状パターンを用いている。また、左右の配置間隔は隣接するもの同士が、中心位置がコーティング部５１ａから５１ｅにかけて順にピッチＰ１〜Ｐ４の間隔で位置している。
したがって、このような第５実施形態によっても、第１実施形態と同様の作用効果を奏するものである。
なお、コーティング部５１の形状は、楕円形状に限らず、円形でも良いし矩形の角部を丸めた形状とすることもできる。
【００４６】
（第６実施形態）
図８は第６実施形態を示すものであり、以下、第１実施形態と異なる部分について説明する。この実施形態では、スライド操作部４に代えてスライド操作部６０を配置している。スライド操作部６０は、５個のコーティング部８に代えて、フッ素コーティングを施した４個のコーティング部６１を備えている。
【００４７】
４個のコーディング部６１を、中心Ｏに配置される円形のコーティング部６１ａ、その外周に中心から外側に順次配置される３個の環状のコーディング部６１ｂ〜６１ｄとして区別して示す。コーティング部６１ａは中心Ｏから半径Ｒ１の円形である。コーティング部６１ｂ〜６１ｄは、それぞれ半径Ｒ２−Ｒ３の間、半径Ｒ４−Ｒ５の間、半径Ｒ６−Ｒ７の間に円環状に設けられる。コーティング部６１ｂ〜６１ｄは、同じ幅寸法Ｗで設けられている。また、４個のコーティング部６１ａ〜６１ｄは、それぞれの間隔Ｌ１〜Ｌ３が、内側の間隔Ｌ１から外側のＬ３に向かって順に広くなるように設定されている（Ｌ１＜Ｌ２＜Ｌ３）。
【００４８】
この構成においては、スライド操作方向は中心Ｏから全ての半径方向であり、例えば図８に示すようなスライド操作方向ＤｒａあるいはＤｒｂなどの放射方向である。フレキシブル基板１１に配置されるタッチ検出用電極１２は、スライド操作方向Ｄｒａ、Ｄｒｂなどの放射方向すなわち中心Ｏから全ての半径方向に沿った移動位置を検出するように配置されている。
【００４９】
これによって、例えばスライド操作方向Ｄｒａ、Ｄｒｂ等に沿って、中心Ｏから半径方向に向かって指Ｆをスライド操作部６０と接触状態で移動させると、中心Ｏ付近ではフッ素コーティングされた部分の占有面積が多いので滑り易く、外周部に移動するに従ってコーティングされていない意匠パネル１０の表面１０ａとの接触する部分が広くなって移動に際して抵抗を受けて滑り難くなる。
したがって、このような第６実施形態によっても、第１実施形態と同様の作用効果を奏するものである。
【００５０】
なお、上記実施形態では、コーティング部６１を円形あるいは円環状としたが、これに限らず楕円形状としても良いし、任意の形状を相似形にして環状に設けるようにしても良い。また、コーティング部６１の個数も４個に限らず適宜の個数を設ければ良い。
【００５１】
上記実施形態では、３個の円環状のコーティング部６１ｂ〜６１ｄを、同じ幅寸法Ｗで設ける構成としたが、これらの幅寸法は適宜異なる用に設定しても良く、配置状態においてそれぞれの間隔Ｌ１〜Ｌ３が、内側の間隔Ｌ１から外側のＬ３に向かって順に広くなるように設定できていれば良い。
【００５２】
（第７実施形態）
図９は第７実施形態を示すものであり、以下、第６実施形態と異なる部分について説明する。この実施形態では、スライド操作部６０に代えてスライド操作部７０を配置している。スライド操作部７０は、４個のコーティング部６１に代えて、フッ素コーティングを施した１３個のコーティング部７１を備えている。
【００５３】
１３個のコーディング部７１は、中心Ｏに配置される円形のコーティング部７１ａはコーティング部６１ａと同じであり、残りの１２個のコーティング部はコーディング部６１ｂ〜６１ｄを円周方向に４等分割して設けた７１ａ１〜７１ｄ１、７１ａ２〜７１ｄ２、７１ａ３〜７１ｄ３、７１ａ４〜７１ｄ４として区別して示す。
【００５４】
これらのコーティング部７１は、中心ＯからＸ軸およびＹ軸の各正負方向となる４方向のスライド操作方向Ｄｒ１〜Ｄｒ４に対応させている。なお、４方向のスライド操作方向Ｄｒ１〜Ｄｒ４は、それぞれＸ軸方向あるいはＹ軸方向を中心として両側に約４５度ずつの領域に広がった放射状の操作方向を含んでいる。また、これに対応して、フレキシブル基板１１に配置されるタッチ検出用電極１２は、スライド操作方向Ｄｒ１〜Ｄｒ４の４つ方向について区分して検出できるように配置形成されている。
【００５５】
これによって、スライド操作方向Ｄｒ１〜Ｄｒ４のいずれかの方向あるいは領域に沿って、中心Ｏから半径方向に向かって指Ｆをスライド操作部７０と接触状態で移動させると、中心Ｏ付近ではフッ素コーティングされた部分の占有面積が多いので滑り易く、外周部に移動するに従ってコーティングされていない意匠パネル１０の表面１０ａとの接触する部分が広くなって移動に際して抵抗を受けて滑り難くなる。
【００５６】
したがって、このような第７実施形態によっても、第６実施形態と同様の作用効果を奏するものである。また、この実施形態によれば、スライド操作方向を４つの方向に対応して設けているので、二次元的な操作方向へのスライド操作に対応することができる。
【００５７】
なお、上記実施形態では、コーティング部７１のうちの７１ａを除いた部分を第６実施形態のコーティング部６１のように４分割した場合を示したが、２分割あるいは３分割としてもよいし、５分割以上に分割することもできる。
【００５８】
（第８実施形態）
図１０は第８実施形態を示すものであり、以下、第１実施形態と異なる部分について説明する。この実施形態では、スライド操作部４に代えてスライド操作部８０を配置している。スライド操作部８０は、５個のコーティング部８に代えて、意匠パネル１０の表面１０ａにシボ加工を施した矩形状の５個のシボ形成部８１を備えている。
【００５９】
５個のシボ形成部８１は、左側からシボ形成部８１ａ〜８１ｅとして区別して示す。５個のシボ形成部８１ａ〜８１ｅは、コーティング部８ａ〜８ｅと同じ形状で同様にして配置されている。シボ形成部８１ａ〜８１ｅは、表面に微細な凹凸が形成されているので、指Ｆが接触したときに接触面が少なくなり、摩擦係数が小さくなって滑りやすい状態となっている。なお、シボ形成部８１ａ〜８１ｅは、図１０では誇張して示しているが、実際には意匠パネル１０の表面１０ａとほぼ面一の状態で形成されている。
【００６０】
これにより、左側に位置するコーティング部８１ａからスライド操作方向Ｄに沿って使用者が指Ｆを接触状態で右側に移動させるときに、意匠パネル１０の表面１０ａの面が露出する幅が増大していく。意匠パネル１０の葉面１０ａは、コーティング部２１ａ〜２１ｅの表面よりも滑り難いので、全体として右に移動するのに従って移動時の抵抗が大きくなって滑り難い状態となる。
したがって、このような第８実施形態によっても、第１実施形態と同様の作用効果を奏するものである。
【００６１】
なお、シボ形成部８１は、上記したように摩擦係数を意匠パネル１０の表面１０ａよりも小さくする場合を示したが、シボの形成条件によっては摩擦係数を大きくすることもできる。
【００６２】
（第９実施形態）
図１１は第９実施形態を示すものであり、以下、第８実施形態と異なる部分について説明する。この実施形態では、スライド操作部８０に代えてスライド操作部９０を配置している。スライド操作部９０は、５個のシボ形成部８１に代えて、意匠パネル１０の表面１０ａに、摩擦係数が異なる素材を埋め込み形成した矩形状の５個の埋め込み部９１を備えている。
【００６３】
５個の埋め込み部９１は、左側から埋め込み部９１ａ〜９１ｅとして区別して示す。５個の埋め込み部９１ａ〜９１ｅは、シボ形成部８１ａ〜８１ｅと同じ形状で同様にして配置されている。埋め込み部９１ａ〜９１ｅは、意匠パネル１０の表面１０ａに形成した凹部に、例えば摩擦係数が小さい木材などの素材を埋め込み配置したものである。なお、埋め込みする素材としては、木材以外に、摩擦係数が小さい自己潤滑性樹脂や、摩擦係数が大きいゴムあるいは革などの素材を用いることができる。
【００６４】
これにより、指Ｆが接触したときに接触面が少なくなり、この結果摩擦係数が小さくなって滑りやすい状態となっている。左側に位置する埋め込み部９１ａからスライド操作方向Ｄに沿って使用者が指Ｆを接触状態で右側に移動させるときに、埋め込み部９１よりも滑りにくい意匠パネル１０の表面１０ａの面が露出する幅が増大していくので、全体として右に移動するのに従って移動時の抵抗が大きくなって滑り難い状態となる。
したがって、このような第９実施形態によっても、第８実施形態と同様の作用効果を奏するものである。
【００６５】
（第１０実施形態）
図１２は第１０実施形態を示すものであり、以下、第１実施形態と異なる部分について説明する。この実施形態では、スライド操作部８に代えてスライド操作部１００を配置している。スライド操作部１００は、スライド操作方向Ｄｐが楕円に沿う円弧状に設けられている。また、スライド操作部１００には、５個のコーティング部８ａ〜８ｅに代えて、７個のコーティング部１０１がスライド操作方向Ｄｐに沿って配置されている。
【００６６】
７個のコーティング部１０１を、左側からコーティング部１０１ａ〜１０１ｇとして区別して示す。７個のコーティング部１０１ａ〜１０１ｇは、ほぼ同形の矩形状パターンで意匠パネル１０の表面１０ａにフッ素コーティングが施されたものである。また、７個のコーティング部１０１ａ〜１０１ｇは、隣接するもの同士がそれぞれ離間距離Ｌ１〜Ｌ６で配置されている。離間距離Ｌ１〜Ｌ６は、Ｌ１が一番短く、Ｌ６に向かうに従って順に長くなるように設定されている。
【００６７】
これにより、左側に位置するコーティング部１０１ａからスライド操作方向Ｄｐに沿って使用者が指Ｆを接触状態で右側に移動させるときに、意匠パネル１０の表面１０ａの面が露出する幅が増大していく。意匠パネル１０の表面１０ａは、コーティング部３１ａ〜３１ｅの表面よりも滑り難いので、全体として右に移動するに従って移動時の抵抗が大きくなって滑り難い状態となる。
したがって、このような第１０実施形態によっても、第１実施形態と同様の作用効果を奏するものである。
【００６８】
なお、上記実施形態において、スライド操作方向Ｄｐは、楕円形の円弧の一部としたが、楕円形状に設けることもできるし、直線形状に部分的に円弧を含むようにしても良い。さらに、円形としたり、渦巻状とすることもできる。
【００６９】
（第１１実施形態）
図１３は第１１実施形態を示すものであり、以下、第１０実施形態と異なる部分について説明する。この実施形態では、スライド操作部１００に代えてスライド操作部１１０を配置している。スライド操作部１１０は、スライド操作方向Ｄｓが異なる方向の２本の直線をつないだ折れ線状に設けられている。また、スライド操作部１１０には、７個のコーティング部１０１に代えて、６個のコーティング部１１１がスライド操作方向Ｄｓに沿って配置されている。
【００７０】
６個のコーティング部１１１を、左側からコーティング部１１１ａ〜１１１ｆとして区別して示す。６個のコーティング部１１１ａ〜１１１ｆは、ほぼ同形の矩形状パターンで意匠パネル１０の表面１０ａにフッ素コーティングが施されたものである。また、６個のコーティング部１１１ａ〜１１１ｆは、隣接するもの同士がそれぞれ離間距離Ｌ１〜Ｌ５で配置されている。離間距離Ｌ１〜Ｌ５は、Ｌ１が一番短く、Ｌ５に向かうに従って順に長くなるように設定されている。
【００７１】
これにより、左側に位置するコーティング部１１１ａからスライド操作方向Ｄｓに沿って使用者が指Ｆを接触状態で右側に移動させるときに、意匠パネル１０の表面１０ａの面が露出する幅が増大していく。意匠パネル１０の表面１０ａは、コーティング部１１１ａ〜１１１ｆの表面よりも滑り難いので、全体として右に移動するに従って移動時の抵抗が大きくなって滑り難い状態となる。
したがって、このような第１１実施形態によっても、第１０実施形態と同様の作用効果を奏するものである。
【００７２】
なお、上記実施形態において、スライド操作方向Ｄｓは、２本の直線をつないだ折れ線状のものとしたが、３本以上の異なる方向の直線をつないだ折れ線状としても良いし、折れ線に円弧を含んだパターンとして設けることもできる。
【００７３】
（他の実施形態）
なお、本発明は、上述した実施形態のみに限定されるものではなく、その要旨を逸脱しない範囲で種々の実施形態に適用可能であり、例えば、以下のように変形または拡張することができる。
【００７４】
上記各実施形態で示した断続パターンは、第１〜第５実施形態で示した５個のコーティング部８等の個数に限らず、スライド操作方向Ｄに沿って指Ｆが接触状態で移動するときに、断続的に摩擦係数が変化するように、適宜の個数を設けることができる。
【００７５】
また、第１実施形態などで用いたコーティング部８は、フッ素コーティングにより形成した低摩擦コーティング以外にも、シリコン系コーティングなど低摩擦コーティングが可能なコーティング方法を用いることができる。
【００７６】
第８実施形態では、シボ形成部８１を設けて低摩擦係数の断続パターンを構成しているが、シボを形成することに代えて、低摩擦係数の塗料などを塗布して断続パターンを形成することもできる。
【００７７】
触覚指標９ａ、９ｂは、意匠パネルの表面を凸状に形成したものを示したが、これに限らず、意匠パネルの表面を凹状にくり抜いた部分として設けることもできる。
【００７８】
意匠パネルの表面は必ずしも平滑面にする必要はなく、スライド操作方向を凹凸ガイドなどにより設けることができ、断続パターンによる意匠パネルとの摩擦係数差との複合的な構成により、操作性・操作感の相乗効果を高めることができる。
意匠パネル１０は、樹脂製のものを示したが、ガラス板などを用いて構成しても良い。
【００７９】
本開示は、実施例に準拠して記述されたが、本開示は当該実施例や構造に限定されるものではないと理解される。本開示は、様々な変形例や均等範囲内の変形をも包含する。加えて、様々な組み合わせや形態、さらには、それらに一要素のみ、それ以上、あるいはそれ以下、を含む他の組み合わせや形態をも、本開示の範疇や思想範囲に入るものである。
【符号の説明】
【００８０】
図面中、１は操作パネル、４、２０、３０、４０、５０、６０、７０、８０、９０、１００、１１０はスライド操作部、８、２１、３１、５１、６１、７１、１０１、１１１はコーティング部（断続パターン）、９ａ、９ｂは触覚指標、１０は意匠パネル、１５は検出回路（スライド検出部）、４１はコーティング部、４２は非コーティング部（断続パターン）、８１はシボ形成部（断続パターン）、９１は埋め込み部（断続パターン）である。
【図１】
2020095324.tif 000003
【図２】
2020095324.tif 000004
【図３】
2020095324.tif 000005
【図４】
2020095324.tif 000006
【図５】
2020095324.tif 000007
【図６】
2020095324.tif 000008
【図７】
2020095324.tif 000009
【図８】
2020095324.tif 000010
【図９】
2020095324.tif 000011
【図１０】
2020095324.tif 000012
【図１１】
2020095324.tif 000013
【図１２】
2020095324.tif 000014
【図１３】
2020095324.tif 000015